(57)【要約】【課題】地上波ディジタル放送等のディジタル放送の受信機において、ユーザがなるべく放映画像を視ながらメニュー項目の設定入力を行うことができるようにし、しかも、メニュー画像内の文字が判別不可能にならないようにする。【解決手段】データ出力先のテレビの画面規格が１０８０Ｉであるとき（Ｓ１５でＹＥＳ）、すなわち、このテレビが、高解像度のテレビであるときには、ユーザが、テレビの画面サイズに合わせて、メニューを子画面内に表示するか、全画面表示するかを選択することができるようにした（Ｓ１３乃至Ｓ１８）。これにより、テレビ上における画像の解像度が高く、かつ、テレビの画面サイズが大型の場合、すなわち、メニューを子画面内に表示しても、ユーザがメニュー内の文字を判別することができる場合には、メニューを子画面内に表示することができるので、ユーザがなるべく放映画像を視ながらメニュー項目の設定入力を行うことができる。【選択図】図６
2005197930.tif 000002
【特許請求の範囲】
【請求項１】
放送局によって符号・圧縮されて送出される地上波ディジタル放送信号の中から特定のチャンネルの放送信号を選択して受信するためのチューナと、
前記チューナによって受信された放送信号を復号して、放送信号に対応した画像データと音声データとを出力する復号手段と、
前記復号手段から出力された画像データと音声データとからなる放送データを記憶する放送データ記憶手段と、
前記画像データに基づく表示画像上に重ねて表示するメニュー画像のデータを記憶するメニュー画像記憶手段と、
前記画像データに基づく表示画像上に前記メニュー画像を重ねて表示するように指示するためのメニュー画像表示指示手段と、
前記放送データ記憶手段に記憶された画像データと前記メニュー画像記憶手段に記憶されたメニュー画像のデータとを合成する合成手段と、
前記メニュー画像表示指示手段によって前記メニュー画像を表示するように指示されたときに、前記合成手段による合成後の画像データと前記放送データ記憶手段に記憶された音声データとを出力し、前記メニュー画像表示指示手段によって前記メニュー画像を表示するように指示されなかったときに、前記放送データ記憶手段に記憶された画像データと音声データとを出力する出力手段とを備えた地上波ディジタル放送受信機において、
前記出力手段からのデータ出力先のテレビジョン受像機の画面規格が１０８０Ｉ又は１０８０Ｐであるときに、前記メニュー画像を子画面内に表示するか、あるいは前記メニュー画像を全画面表示するかを選択するためのメニュー表示方法選択手段と、
前記メニュー画像表示指示手段によって前記メニュー画像を表示するように指示されたときに、前記チューナにより受信した放送信号がＨＤ（High Definition）放送の信号であれば、前記メニュー表示方法選択手段による選択結果に応じて、前記メニュー画像を全画面表示又は子画面内に表示するように制御し、前記チューナにより受信した放送信号がＳＤ（Standard Definition）放送の信号であれば、前記メニュー画像を無条件に全画面表示するように制御するメニュー表示制御手段とをさらに備えたことを特徴とする地上波ディジタル放送受信機。
【請求項２】
放送局によって符号・圧縮されて送出されるディジタル放送信号の中から特定のチャンネルの放送信号を選択して受信する受信手段と、
前記受信手段によって受信された放送信号を復号して、放送信号に対応した画像データと音声データとを出力する復号手段と、
前記復号手段から出力された画像データと音声データとからなる放送データを記憶する放送データ記憶手段と、
前記画像データに基づく表示画像上に重ねて表示するメニュー画像のデータを記憶するメニュー画像記憶手段と、
前記画像データに基づく表示画像上に前記メニュー画像を重ねて表示するように指示するためのメニュー画像表示指示手段と、
前記放送データ記憶手段に記憶された画像データと前記メニュー画像記憶手段に記憶されたメニュー画像のデータとを合成する合成手段と、
前記メニュー画像表示指示手段によって前記メニュー画像を表示するように指示されたときに、前記合成手段による合成後の画像データと前記放送データ記憶手段に記憶された音声データとを出力し、前記メニュー画像表示指示手段によって前記メニュー画像を表示するように指示されなかったときに、前記放送データ記憶手段に記憶された画像データと音声データとを出力する出力手段とを備えたディジタル放送受信機において、
前記メニュー画像を子画面内に表示するか、あるいは前記メニュー画像を全画面表示するかを選択するためのメニュー表示方法選択手段をさらに備えたことを特徴とするディジタル放送受信機。
【請求項３】
放送局によって符号・圧縮されて送出されるディジタル放送信号の中から特定のチャンネルの放送信号を選択して受信する受信手段と、
前記受信手段によって受信された放送信号を復号して、放送信号に対応した画像データと音声データとを出力する復号手段と、
前記復号手段から出力された画像データと音声データとからなる放送データを記憶する放送データ記憶手段と、
前記画像データに基づく表示画像上に重ねて表示するメニュー画像のデータを記憶するメニュー画像記憶手段と、
前記画像データに基づく表示画像上に前記メニュー画像を重ねて表示するように指示するためのメニュー画像表示指示手段と、
前記放送データ記憶手段に記憶された画像データと前記メニュー画像記憶手段に記憶されたメニュー画像のデータとを合成する合成手段と、
前記メニュー画像表示指示手段によって前記メニュー画像を表示するように指示されたときに、前記合成手段による合成後の画像データと前記放送データ記憶手段に記憶された音声データとを出力し、前記メニュー画像表示指示手段によって前記メニュー画像を表示するように指示されなかったときに、前記放送データ記憶手段に記憶された画像データと音声データとを出力する出力手段とを備えたディジタル放送受信機において、
前記出力手段からのデータ出力先の画像表示装置に関する画面規格や画面サイズの情報を記憶する画面情報記憶手段と、
前記メニュー画像表示指示手段によって前記メニュー画像を表示するように指示されたときに、前記受信手段により受信した放送信号がＨＤ（High Definition）放送の信号であり、かつ、前記画面情報記憶手段に記憶されたデータ出力先の画像表示装置の画面規格が、１０８０Ｉの画像規格が有する解像度以上の解像度を有する画像規格であり、かつ、前記画面情報記憶手段に記憶されたデータ出力先の画像表示装置の画面サイズが所定以上の大きさの場合に、前記メニュー画像を子画面内に表示するように制御するメニュー表示制御手段とをさらに備えたことを特徴とするディジタル放送受信機。
【発明の詳細な説明】
【技術分野】
【０００１】
本発明は、地上波ディジタル放送信号、ＢＳディジタル放送信号、ＣＳディジタル放送信号等のディジタル放送信号の受信機に係り、特に、ＯＳＤ表示機能を有するディジタル放送受信機に関する。
【背景技術】
【０００２】
従来より、地上波ディジタル放送等のディジタル放送の受信機は、アナログ放送と同様な低解像度の放送であるＳＤ（Standard Definition）放送の信号だけではなく、高解像度の放送であるＨＤ（High Definition）放送の信号を受信して、このＨＤ放送に対応したテレビジョン受像機（ＨＤＴＶ（High Definition Television））に高解像度の画像データを出力することができる。このＨＤＴＶの画面規格は、１０８０Ｉ（横画素数が１９２０で、縦画素数が１０８０）となっており、画面規格が４８０Ｉ（横画素数が６４０又は７２０で、縦画素数が４８０）のアナログ放送用のテレビジョン受像機（ＳＤＴＶ（Standard Definition Television））と比較すると、４倍以上の画素数をもっているため、４倍以上の解像度で画像を表示することができる。従来のディジタル放送受信機は、受信した放送信号の解像度やテレビジョン受像機の解像度とは無関係に、同様なフォーマットのメニュー画像データをテレビジョン受像機に送信していた。すなわち、従来のディジタル放送受信機は、一般的には、テレビジョン受像機上における画像の解像度や、テレビジョン受像機の画面サイズに係らず、各種設定用のメニュー画像データを全画面表示用のフォーマットでテレビジョン受像機に出力していた。また、従来のディジタル放送受信機において、テレビジョン受像機上における画像の解像度や、テレビジョン受像機の画面サイズに係らず、各種設定用のメニュー画像データを子画面表示用のフォーマットでテレビジョン受像機に送信するようにしたものが知られている（例えば、特許文献１参照）。
【０００３】
しかしながら、上記のようなメニュー画像データを無条件に全画面表示用のフォーマットでテレビジョン受像機に送信するディジタル放送受信機では、テレビジョン受像機上における画像の解像度が高く、テレビジョン受像機の画面サイズが大型の場合であっても、メニュー画像データを全画面表示用のフォーマットでテレビジョン受像機に送信してしまっていた。ここで、一般に、受信した放送信号がＨＤ放送の信号であり、かつ、テレビジョン受像機がＨＤＴＶである場合には、メニュー画像を子画面内にＯＳＤ(On-Screen Display)表示したとしても、文字がつぶれにくい。従って、テレビジョン受像機の画面サイズが大きい場合（例えば、３０型以上の場合）には、メニュー画像を子画面内にＯＳＤ表示したとしても、実用上の問題はない。従来のディジタル放送受信機は、上記のように子画面内にメニュー画像をＯＳＤ表示しても問題がない場合であっても、メニュー画像データを無条件に全画面表示用のフォーマットでテレビジョン受像機に出力していたため、ユーザが放映画像を視ながらメニュー項目の設定入力を行うことができないという問題があった。
【０００４】
また、上記特許文献１に示されるメニュー画像データを無条件に子画面表示用のフォーマットでテレビジョン受像機に送信するディジタル放送受信機では、テレビジョン受像機上における画像の解像度が低い場合であっても、メニュー画像データを子画面表示用のフォーマットでテレビジョン受像機に送信してしまう。従って、子画面内に表示されたメニュー画像内の文字がつぶれ易く、ユーザがメニュー画像内の文字を判別しにくいという問題があった。また、このディジタル放送受信機では、テレビジョン受像機の画面サイズが小型の場合であっても、メニュー画像データを子画面表示用のフォーマットでテレビジョン受像機に送信してしまうため、子画面内に表示されたメニュー画像内の文字が小さくなり、ユーザがメニュー画像内の文字を判別しにくいという問題があった。
【特許文献１】特開平５−７５９４４号公報（第１−１３頁、図１−１１）
【発明の開示】
【発明が解決しようとする課題】
【０００５】
本発明は、上記の問題を解決するためになされたものであり、メニュー画像を子画面内に表示しても、ユーザがメニュー画像内の文字を判別することができる場合には、メニュー画像を子画面内に表示することができるようにして、ユーザがなるべく放映画像を視ながらメニュー項目の設定入力を行うことができるようにすると共に、メニュー画像内の文字が判別不可能にならないようにすることが可能な地上波ディジタル放送受信機及びディジタル放送受信機を提供することを目的とする。
【課題を解決するための手段】
【０００６】
上記目的を達成するために請求項１の発明は、放送局によって符号・圧縮されて送出される地上波ディジタル放送信号の中から特定のチャンネルの放送信号を選択して受信するためのチューナと、チューナによって受信された放送信号を復号して、放送信号に対応した画像データと音声データとを出力する復号手段と、復号手段から出力された画像データと音声データとからなる放送データを記憶する放送データ記憶手段と、上記の画像データに基づく表示画像上に重ねて表示するメニュー画像のデータを記憶するメニュー画像記憶手段と、上記の画像データに基づく表示画像上に前記メニュー画像を重ねて表示するように指示するためのメニュー画像表示指示手段と、放送データ記憶手段に記憶された画像データとメニュー画像記憶手段に記憶されたメニュー画像のデータとを合成する合成手段と、メニュー画像表示指示手段によってメニュー画像を表示するように指示されたときに、合成手段による合成後の画像データと放送データ記憶手段に記憶された音声データとを出力し、メニュー画像表示指示手段によってメニュー画像を表示するように指示されなかったときに、放送データ記憶手段に記憶された画像データと音声データとを出力する出力手段とを備えた地上波ディジタル放送受信機において、出力手段からのデータ出力先のテレビジョン受像機の画面規格が１０８０Ｉ又は１０８０Ｐであるときに、メニュー画像を子画面内に表示するか、あるいはメニュー画像を全画面表示するかを選択するためのメニュー表示方法選択手段と、メニュー画像表示指示手段によってメニュー画像を表示するように指示されたときに、チューナにより受信した放送信号がＨＤ（High Definition）放送の信号であれば、メニュー表示方法選択手段による選択結果に応じて、メニュー画像を全画面表示又は子画面内に表示するように制御し、チューナにより受信した放送信号がＳＤ（Standard Definition）放送の信号であれば、メニュー画像を無条件に全画面表示するように制御するメニュー表示制御手段とをさらに備えたものである。
【０００７】
上記構成においては、データ出力先のテレビジョン受像機の画面規格が１０８０Ｉ又は１０８０Ｐであるとき、すなわち、このテレビジョン受像機が、高解像度のＨＤ放送に対応したＨＤＴＶであるときには、ユーザは、テレビジョン受像機の画面サイズに合わせて、メニュー画像を子画面内に表示するか、あるいはメニュー画像を全画面表示するかをメニュー表示方法選択手段により選択することができる。具体的には、ユーザは、データ出力先のテレビジョン受像機の画面サイズが大きい場合（例えば、３０型以上の場合）には、メニュー画像を子画面内に表示しても、メニュー画像内の文字が小さくなり過ぎて判別不可能になる心配がないので、メニュー画像を子画面内に表示することを選択する。逆に、データ出力先のテレビジョン受像機の画面サイズが小さい場合には、メニュー画像を子画面内に表示すると、メニュー画像内の文字が小さくなり過ぎて判別不可能になる心配があるので、メニュー画像を全画面表示することを選択する。
【０００８】
そして、メニュー画像表示指示手段によってメニュー画像を表示するように指示されたときに、チューナにより受信した放送信号が高解像度の放送であるＨＤ放送の信号であり、上記のメニュー表示方法選択手段によりメニュー画像を子画面内に表示することが選択されていた場合（テレビジョン受像機が高解像度のＨＤ放送に対応したＨＤＴＶで、かつテレビジョン受像機の画面サイズが大きい場合）には、メニュー画像を子画面内に表示しても、メニュー画像内の文字がつぶれにくく、しかも、メニュー画像内の文字が小さくなり過ぎて判別不可能になる心配がないので、メニュー表示制御手段が、メニュー画像を子画面内に表示するように制御する。これに対して、チューナにより受信した放送信号が低解像度の放送であるＳＤ放送の信号である場合や、上記のメニュー表示方法選択手段によりメニュー画像を全画面表示することが選択されていた場合（テレビジョン受像機が低解像度のＳＤＴＶである場合や、テレビジョン受像機の画面サイズが小さい場合）には、メニュー画像を子画面内に表示すると、メニュー画像内の文字がつぶれ易いか、又はメニュー画像内の文字が小さくなり過ぎて判別不可能になる心配があるので、メニュー表示制御手段が、メニュー画像を全画面表示するように制御する。これにより、メニュー画像を子画面内に表示しても、ユーザがメニュー画像内の文字を判別することができる場合には、メニュー画像を子画面内に表示することができるので、ユーザがなるべく放映画像を視ながらメニュー項目の設定入力を行うことができ、しかも、メニュー画像内の文字が判別不可能にならないようにすることができる。
【０００９】
また、請求項２の発明は、放送局によって符号・圧縮されて送出されるディジタル放送信号の中から特定のチャンネルの放送信号を選択して受信する受信手段と、受信手段によって受信された放送信号を復号して、放送信号に対応した画像データと音声データとを出力する復号手段と、復号手段から出力された画像データと音声データとからなる放送データを記憶する放送データ記憶手段と、画像データに基づく表示画像上に重ねて表示するメニュー画像のデータを記憶するメニュー画像記憶手段と、画像データに基づく表示画像上にメニュー画像を重ねて表示するように指示するためのメニュー画像表示指示手段と、放送データ記憶手段に記憶された画像データとメニュー画像記憶手段に記憶されたメニュー画像のデータとを合成する合成手段と、メニュー画像表示指示手段によってメニュー画像を表示するように指示されたときに、合成手段による合成後の画像データと放送データ記憶手段に記憶された音声データとを出力し、メニュー画像表示指示手段によってメニュー画像を表示するように指示されなかったときに、放送データ記憶手段に記憶された画像データと音声データとを出力する出力手段とを備えたディジタル放送受信機において、メニュー画像を子画面内に表示するか、あるいはメニュー画像を全画面表示するかを選択するためのメニュー表示方法選択手段をさらに備えたものである。
【００１０】
この構成においては、ユーザは、テレビジョン受像機等の画像表示装置の画面規格と画面サイズに合わせて、メニュー画像を子画面内に表示するか、あるいはメニュー画像を全画面表示するかをメニュー表示方法選択手段により選択することができる。具体的には、ユーザは、データ出力先の画像表示装置が高解像度のＨＤ放送に対応したＨＤＴＶであり、かつ、この画像表示装置の画面サイズが大きい場合（例えば、３０型以上の場合）には、メニュー画像を子画面内に表示しても、メニュー画像内の文字が小さくなり過ぎて判別不可能になる心配がないので、メニュー画像を子画面内に表示することを選択する。逆に、データ出力先の画像表示装置の画面サイズが小さい場合には、メニュー画像を子画面内に表示すると、メニュー画像内の文字が小さくなり過ぎて判別不可能になる心配があるので、メニュー画像を全画面表示することを選択する。これにより、メニュー画像表示指示手段によってメニュー画像を表示するように指示されたときに、上記請求項１の発明と同様な作用を得ることができる。
【００１１】
また、請求項３の発明は、放送局によって符号・圧縮されて送出されるディジタル放送信号の中から特定のチャンネルの放送信号を選択して受信する受信手段と、受信手段によって受信された放送信号を復号して、放送信号に対応した画像データと音声データとを出力する復号手段と、復号手段から出力された画像データと音声データとからなる放送データを記憶する放送データ記憶手段と、上記の画像データに基づく表示画像上に重ねて表示するメニュー画像のデータを記憶するメニュー画像記憶手段と、上記の画像データに基づく表示画像上にメニュー画像を重ねて表示するように指示するためのメニュー画像表示指示手段と、放送データ記憶手段に記憶された画像データとメニュー画像記憶手段に記憶されたメニュー画像のデータとを合成する合成手段と、メニュー画像表示指示手段によってメニュー画像を表示するように指示されたときに、合成手段による合成後の画像データと放送データ記憶手段に記憶された音声データとを出力し、メニュー画像表示指示手段によってメニュー画像を表示するように指示されなかったときに、放送データ記憶手段に記憶された画像データと音声データとを出力する出力手段とを備えたディジタル放送受信機において、出力手段からのデータ出力先の画像表示装置に関する画面規格や画面サイズの情報を記憶する画面情報記憶手段と、メニュー画像表示指示手段によってメニュー画像を表示するように指示されたときに、受信手段により受信した放送信号がＨＤ（High Definition）放送の信号であり、かつ、画面情報記憶手段に記憶されたデータ出力先の画像表示装置の画面規格が、１０８０Ｉの画像規格が有する解像度以上の解像度を有する画像規格であり、かつ、画面情報記憶手段に記憶されたデータ出力先の画像表示装置の画面サイズが所定以上の大きさの場合に、メニュー画像を子画面内に表示するように制御するメニュー表示制御手段とをさらに備えたものである。
【００１２】
この構成においては、メニュー画像表示指示手段によってメニュー画像を表示するように指示されたときに、受信手段により受信した放送信号がＨＤ放送の信号であり、かつ、画面情報記憶手段に記憶されたデータ出力先の画像表示装置の画面規格が、１０８０Ｉの画像規格が有する解像度以上の解像度を有する画像規格であり、かつ、画面情報記憶手段に記憶されたデータ出力先の画像表示装置の画面サイズが所定以上の大きさの場合、すなわち、メニュー画像を子画面内に表示しても、メニュー画像内の文字がつぶれにくく、かつ、メニュー画像内の文字が小さくなり過ぎて判別不可能になる心配がない場合には、メニュー画像が子画面内に表示される。これにより、メニュー画像を子画面内に表示しても、ユーザがメニュー画像内の文字を判別することができる場合には、メニュー画像を子画面内に表示することができるので、ユーザが放映画像を視ながらメニュー項目の設定入力を行うことができる。
【発明の効果】
【００１３】
請求項１の発明によれば、データ出力先のテレビジョン受像機の画面規格が１０８０Ｉ又は１０８０Ｐであるとき、すなわち、このテレビジョン受像機が、高解像度のＨＤ放送に対応したＨＤＴＶであるときには、ユーザが、テレビジョン受像機の画面サイズに合わせて、メニュー画像を子画面内に表示するか、あるいはメニュー画像を全画面表示するかを選択することができるようにした。これにより、テレビジョン受像機上における画像の解像度が高く、かつ、テレビジョン受像機の画面サイズが大型の場合、すなわち、メニュー画像を子画面内に表示しても、ユーザがメニュー画像内の文字を判別することができる場合には、メニュー画像を子画面内に表示することができるので、ユーザがなるべく放映画像を視ながらメニュー項目の設定入力を行うことができる。また、テレビジョン受像機上における画像の解像度が低いか、又はテレビジョン受像機の画面サイズが小型の場合、すなわち、メニュー画像を子画面内に表示すると、メニュー画像内の文字が判別不可能になる心配がある場合には、メニュー画像を全画面表示するようにしたので、メニュー画像内の文字が判別不可能にならないようにすることができる。
【００１４】
また、請求項２の発明によれば、メニュー画像を子画面内に表示するか、あるいはメニュー画像を全画面表示するかを選択することができるようにしたことにより、上記請求項１に記載の効果と同等の効果を得ることができる。
【００１５】
また、請求項３の発明によれば、ユーザによりメニュー画像を表示するように指示されたときに、受信した放送信号がＨＤ放送の信号であり、かつ、データ出力先の画像表示装置の画面規格が、１０８０Ｉの画像規格が有する解像度以上の解像度を有する画像規格であり、かつ、データ出力先の画像表示装置の画面サイズが所定以上の大きさの場合、すなわち、メニュー画像を子画面内に表示しても、メニュー画像内の文字がつぶれにくく、かつ、メニュー画像内の文字が小さくなり過ぎて判別不可能になる心配がない場合には、メニュー画像を子画面内に表示するようにした。これにより、メニュー画像を子画面内に表示しても、ユーザがメニュー画像内の文字を判別することができる場合には、メニュー画像を子画面内に表示することができるので、ユーザが放映画像を視ながらメニュー項目の設定入力を行うことができる。
【発明を実施するための最良の形態】
【００１６】
本発明を実施するための最良の形態について図面を参照して説明する。以下に記載した実施形態は、本発明を網羅するものではなく、本発明は、下記の形態だけに限定されない。第１の実施形態による地上波ディジタル放送受信機は、地上波ディジタル放送の放送局から送信された地上波ディジタル放送信号をアンテナを介して受信し、受信した放送信号に基づき地上波ディジタル放送の映像及び音声を再生して、再生した画像及び音声のデータをテレビジョン受像機に出力する装置である。
【００１７】
図１は、第１の実施形態による地上波ディジタル放送受信機であるセットトップボックスの概略構成を示す。セットトップボックス１には、このセットトップボックス１で再生した画像データ及び音声データの出力先となるテレビジョン受像機２（以下、テレビと略す）と、地上波ディジタル放送の放送局（以下、放送局と略す）から送信された放送信号を受信するためのアンテナ３とが接続される。
【００１８】
上記のセットトップボックス１は、装置全体の制御を行うＣＰＵ１０（メニュー表示制御手段）と、ディジタルチューナ１１（受信手段）と、フロントエンド１２と、ＭＰＥＧ−２デコーダ１３（復号手段）と、メモリ１４（放送データ記憶手段）と、ＯＳＤ回路１５（メニュー画像記憶手段）と、合成回路１６（合成手段）と、Ｄ／Ａ変換機１７と、画像データ出力用の画像出力端子１８（出力手段）と、音声データ出力用の音声出力端子１９（出力手段）と、リモコン受信部２０と、リモートコントローラ３０（以下、リモコンと略す）（メニュー表示方法選択手段）とから構成されている。
【００１９】
ディジタルチューナ１１は、放送局によって符号・圧縮されて送出される地上波ディジタル放送信号の中から特定のチャンネルの放送信号を選択して受信するための装置であり、その受信周波数をリモコン３０で選局操作されたチャンネルに対応する周波数に同調させることにより、選局操作されたチャンネルの地上波ディジタル放送信号をアンテナ３を介して受信するものである。ディジタルチューナ１１から出力される信号は、画像や音声等の複数のストリームが多重化されたＴＳ（トランスポート・ストリーム）信号である。
【００２０】
フロントエンド１２は、上記のＴＳ（トランスポート・ストリーム）信号から、リモコン３０で選局されたサブチャンネルのテレビ番組の画像信号と音声信号を分離抽出して、これらの信号をＭＰＥＧ−２デコーダ１３に出力する。
【００２１】
ＭＰＥＧ−２デコーダ１３は、フロントエンド１２から送られた画像信号と音声信号をデジタル圧縮符号化される前の信号に復号再生して、復号再生後の信号に対応した画像データと音声データとをメモリ１４に出力する。
【００２２】
メモリ１４は、ＭＰＥＧ−２デコーダ１３から送られた画像データと音声データとを格納する。
【００２３】
ＯＳＤ回路１５は、各種設定用のメニュー画像のデータを格納しており、ＣＰＵ１０による指示に基づいて、メモリ１４から合成回路１６への放映画像のデータの送信と同期を合わせて、メニュー画像のデータを合成回路１６に送信する。
【００２４】
合成回路１６は、メモリ１４から送られた放映画像のデータに、ＯＳＤ回路１５から送られたメニュー画像のデータを重ねることにより、放映画像とメニュー画像とを合成して、合成後の画像データをＤ／Ａ変換機１７に出力する。ただし、メニュー画像のデータをＯＳＤ表示しないときには、ＣＰＵ１０は、メモリ１４に格納された放映画像のデータをＤ／Ａ変換機１７に出力する。
【００２５】
Ｄ／Ａ変換機１７は、送られたデジタル形式の画像データと音声データとをアナログ形式の画像データと音声データとに変換して、変換後の画像データと音声データとを画像出力端子１８と音声出力端子１９とを介してテレビ２に出力する。セットトップボックス１側の画像出力端子１８、音声出力端子１９は、それぞれテレビ２側のＤ端子２１、音声入力端子２２とケーブルを介して接続されている。
【００２６】
リモコン３０には、メニュー画像の表示を指示するためのメニューボタン３１（メニュー画像表示指示手段）、各種の選択操作を行うための４つのカーソルキー３２、選択操作における決定を行うための決定キー３３等の各種のキーが配設されている。このリモコン３０は、ユーザによる操作に応じた赤外線信号を送信する。リモコン受信部２０は、リモコン３０から送出された赤外線信号を受信して、ＣＰＵ１０に送る。
【００２７】
次に、図２乃至図４を参照して、このセットトップボックス１におけるメニュー画像表示方法について説明する。このセットトップボックス１では、テレビ２が高解像度のＨＤ放送に対応したＨＤＴＶ（High Definition Television）であるとき、すなわち、テレビ２の画面規格が１０８０Ｉであるときには、図３に示されるようにメニュー画像（以下、メニューと略す）４１を子画面４０内に表示するか、あるいは、図２に示されるようにメニュー４１を全画面表示するかを、ユーザが設定入力することができる。この場合には、この入力データ（以下、メニュー表示方法設定データという）が、ＣＰＵ１０によりメモリ１４に書き込まれる。
【００２８】
これに対して、テレビ２が低解像度のＳＤ放送に対応したＳＤＴＶ（Standard Definition Television）であるとき（例えば、テレビ２の画面規格が図４に示される４８０Ｉであるとき）には、メニュー４１を子画面４０内に表示するか、あるいはメニュー４１を全画面表示するかを、ユーザが設定入力することができず、メニュー４１は無条件に全画面表示される。この場合には、メニュー４１を全画面表示する旨のメニュー表示方法設定データが、ＣＰＵ１０によりメモリ１４に書き込まれる。
【００２９】
上記のように、テレビ２の画面規格が１０８０Ｉであるときにのみ、メニュー４１を子画面４０内に表示するか、あるいはメニュー４１を全画面表示するかを、ユーザが選択することができるようにしたのは、テレビ２が低解像度のＳＤ放送に対応したＳＤＴＶであるときに、図３に示されるように、メニュー画像４１を子画面４０内に表示すると、メニュー画像内の文字がつぶれて判別不可能になるおそれがあるからである。
【００３０】
次に、図５のフローチャートを参照して、第１の実施形態によるセットトップボックス１において、リモコン３０のメニューボタン３１によりメニュー画像を表示するように指示されたときの処理について説明する。リモコン３０のメニューボタン３１がユーザにより押下されると、セットトップボックス１のＣＰＵ１０は、リモコン受信部２０を介してこれを検知して、ディジタルチューナ１１により受信した放送信号が高解像度の放送であるＨＤ放送の信号である場合には（Ｓ１でＹＥＳ）、上記のメニュー表示方法設定データをメモリ１４から読み込む（Ｓ２）。そして、ＣＰＵ１０は、メニュー表示方法設定データが、メニュー４１を子画面４０内に表示する旨の設定データであるときには（Ｓ３でＮＯ）、メニュー４１を子画面４０内に表示した画像データをテレビ２に出力する（Ｓ４）。これに対して、メニュー表示方法設定データが、メニュー４１を全画面表示する旨の設定データであるときには（Ｓ３でＹＥＳ）、メニュー４１を全画面表示した画像データをテレビ２に出力する（Ｓ５）。
【００３１】
ユーザは、上記のメニュー４１において、リモコン３０のカーソルキー３２等を用いて、上記のメニュー表示方法設定処理を含む各種の設定処理を行う（Ｓ６）。そして、この設定処理が終了すると、ユーザは、リモコン３０のカーソルキー３２と決定キー３３とを用いて、図２及び図３に示されるメニュー消去ボタン４４を選択する。ＣＰＵ１０は、メニュー消去ボタン４４の選択を検知すると（Ｓ７でＹＥＳ）、図３に示される放映画像５１中から、メニュー４１を表示した子画面４０を消去する。
【００３２】
上記Ｓ６に示される設定処理では、チャンネル選択処理、ディスプレイ設定処理、クロック設定処理、及び上記のメニュー表示方法設定処理を含む各種の詳細設定処理を行うことが可能である。具体的には、ユーザが、リモコン３０のカーソルキー３２と決定キー３３とを用いて、図２及び図３に示されるメインメニュー４２中のチャンネル選択ボタン４５、ディスプレイ設定ボタン４６、クロック設定ボタン４７、又は詳細設定ボタン４８を選択すると、ＣＰＵ１０は、選択された処理内容に応じたサブメニュー４３を含むメニュー４１の画像データをテレビ２に出力する。そして、ユーザが、リモコン３０のカーソルキー３２と決定キー３３とを用いて、このサブメニュー４３中の設定項目の中から所望の設定項目に関する設定入力処理を行なうと、ＣＰＵ１０は、設定入力された内容をメモリ１４に書き込む。
【００３３】
次に、上記図２及び図３に加えて、図６のフローチャートを参照して、上記の詳細設定処理に含まれるメニュー表示方法設定処理について説明する。ユーザが、リモコン３０のカーソルキー３２と決定キー３３とを用いて、図２及び図３に示されるように、メインメニュー４２中の詳細設定ボタン４８を選択すると（Ｓ１１）、ＣＰＵ１０は、詳細設定用のサブメニュー４３をテレビ２に表示する。ユーザが、この詳細設定用のサブメニュー４３におけるメニュー表示方法選択ボタン５０で選択可能なメニュー表示方法（子画面内表示又は全画面表示）の中から、リモコン３０のカーソルキー３２と決定キー３３とを用いて所望のメニュー表示方法を選択すると（Ｓ１２）、ＣＰＵ１０は、子画面内表示が選択されたときには（Ｓ１３でＹＥＳ）、「テレビの画面規格が１０８０Ｉですか？」という確認メッセージをテレビ２に表示する（Ｓ１４）。そして、ユーザがリモコン３０を用いて、”ＹＥＳ”を選択した場合には（Ｓ１５でＹＥＳ）、ＣＰＵ１０は、メニュー４１を子画面４０内に表示する旨のメニュー表示方法設定データをメモリ１４に書き込む（Ｓ１８）。これに対して、ユーザがリモコン３０を用いて、”ＮＯ”を選択した場合には（Ｓ１５でＮＯ）、ＣＰＵ１０は、「子画面を選択できません！」というワーニング用のメッセージをテレビ２に表示して（Ｓ１６）、メニュー４１を全画面表示する旨のメニュー表示方法設定データをメモリ１４に書き込む（Ｓ１７）。この理由は、テレビ２が４８０Ｉ等の低解像度の画面規格のテレビであるときに、メニュー画像４１を子画面４０内に表示すると、メニュー画像内の文字がつぶれて判別不可能になるおそれがあるからである。
【００３４】
また、上記Ｓ１２に示されるメニュー表示方法の選択処理において、ユーザは、テレビ２の画面規格が高解像度の画面規格である１０８０Ｉであり、かつ、テレビ２の画面サイズが大型の場合に限り、メニュー表示方法を子画面内表示に設定する。これは、このような条件が揃っていれば、メニュー画像内の文字がつぶれるという事態や、文字が小さすぎて判別できないという事態の発生を防ぐことができるからである。
【００３５】
上述したように、第１の実施形態によるセットトップボックス１によれば、データ出力先のテレビ２の画面規格が１０８０Ｉであるとき、すなわち、このテレビ２が、高解像度のＨＤ放送に対応したＨＤＴＶであるときには、ユーザが、テレビ２の画面サイズに合わせて、メニュー４１を子画面４０内に表示するか、あるいはメニュー４１を全画面表示するかを選択することができるようにした。これにより、テレビ２上における画像の解像度が高く、かつ、テレビ２の画面サイズが大型の場合、すなわち、メニュー４１を子画面４０内に表示しても、ユーザがメニュー４１内の文字を判別することができる場合には、メニュー４１を子画面４０内に表示することができるので、ユーザがなるべく放映画像５１を視ながらメニュー項目の設定入力を行うことができる。また、テレビ２上における画像の解像度が低いか、又はテレビ２の画面サイズが小型の場合、すなわち、メニュー４１を子画面４０内に表示すると、メニュー４１内の文字が判別不可能になる心配がある場合には、メニュー４１を全画面表示するようにしたので、メニュー画像内の文字が判別不可能にならないようにすることができる。
【００３６】
次に、第２の実施形態によるセットトップボックス１について説明する。図７は、第２の実施形態によるセットトップボックス１の構成を示す。第２の実施形態のセットトップボックス１は、第１の実施形態のセットトップボックス１と略同様な構成であるが、ＩＥＥＥ１３９４ディジタルインタフェース６１を有しており、ＩＥＥＥ１３９４シリアルバス６２を用いてテレビ２と接続されている。第２の実施形態では、セットトップボックス１とテレビ２とは、それぞれＩＥＥＥ１３９４シリアルバス６２上におけるコントローラ機器とターゲット機器として位置付けられる。コントローラ機器であるセットトップボックス１内のメモリ１４には、バスリセット時に各接続機器から取得した各種情報に基づいて編集した接続機器情報テーブル７０（図９参照）が格納されている。なお、上記図７に示されるように、セットトップボックス１にテレビ２のみが接続されている場合には、上記の接続機器情報テーブル７０には、テレビ２のＧＵＩＤ（Global Unique Identification）７１と機器情報７２のみが格納されている。
【００３７】
次に、図８のフローチャートを参照して、第２の実施形態によるセットトップボックス１において、リモコン３０のメニューボタン３１によりメニュー画像を表示するように指示されたときの処理について説明する。リモコン３０のメニューボタン３１がユーザにより押下されると、セットトップボックス１のＣＰＵ１０は、リモコン受信部２０を介してこれを検知して、ディジタルチューナ１１により受信した放送信号が高解像度の放送であるＨＤ放送の信号である場合には（Ｓ２１でＹＥＳ）、メモリ１４内の接続機器情報テーブル７０に格納されたテレビ２に関する機器情報７２を読み込んで、この機器情報７２に含まれるテレビ２の画面サイズと型番の情報を取得する（Ｓ２２）。そして、取得した型番の情報に基づいて、テレビ２の画面規格が１０８０Ｉであるか否かの判定（Ｓ２３）と、テレビ２の画面サイズが所定以上のサイズであるか否か（大型であるか否か）の判定(Ｓ２４)とを行なう。この結果、テレビ２の画面規格が１０８０Ｉで（Ｓ２３でＹＥＳ）、画面サイズが所定以上のサイズである場合には（Ｓ２４でＹＥＳ）、メニュー４１を子画面４０内に表示した画像データをテレビ２に出力する（Ｓ２５）。これに対して、テレビ２の画面規格が１０８０Ｉ未満（例えば、４８０Ｉ）か（Ｓ２３でＮＯ）、又は画面サイズが所定未満のサイズである場合には（Ｓ２４でＮＯ）、メニュー４１を全画面表示した画像データをテレビ２に出力する（Ｓ２６）。
【００３８】
次に、ユーザは、上記のメニュー４１において、リモコン３０のカーソルキー３２等を用いて、上記のメニュー表示方法設定処理を含む各種の設定処理を行う（Ｓ２７）。そして、この設定処理が終了すると、ユーザは、リモコン３０のカーソルキー３２と決定キー３３とを用いて、図２及び図３に示されるメニュー消去ボタン４４を選択する。ＣＰＵ１０は、メニュー消去ボタン４４の選択を検知すると（Ｓ２８でＹＥＳ）、図３に示される放映画像５１中から、メニュー４１を表示した子画面４０を消去する。
【００３９】
上述したように、第２の実施形態によるセットトップボックス１によれば、ユーザによりメニュー４１を表示するように指示されたときに、受信した放送信号がＨＤ放送の信号であり、かつ、データ出力先のテレビ２の画面規格が、１０８０Ｉの画像規格であり、かつ、データ出力先のテレビ２の画面サイズが所定以上の大きさの場合、すなわち、メニュー４１を子画面４０内に表示しても、メニュー４１内の文字がつぶれにくく、かつ、メニュー４１内の文字が小さくなり過ぎて判別不可能になる心配がない場合には、メニュー４１を子画面４０内に表示するようにした。これにより、メニュー４１を子画面４０内に表示しても、ユーザがメニュー４１内の文字を判別することができる場合には、メニュー４１を子画面４０内に表示することができるので、ユーザが放映画像を視ながらメニュー項目の設定入力を行うことができる。
【００４０】
なお、本発明は、上記実施形態に限られるものではなく、様々な変形が可能である。例えば、上記第１の実施形態では、ユーザが、テレビ２の画面サイズに合わせて、メニュー４１を子画面４０内に表示するか、あるいはメニュー４１を全画面表示するかを設定入力するようにしたが、ユーザがセットトップボックスに接続されるテレビの画面サイズと画面規格をメモリ内に設定入力しておいて、ＣＰＵが、これらの設定情報に基づいて、メニューを全画面表示するか、子画面に表示するかを自動的に判定するようにしてもよい。また、上記第１の実施形態では、詳細設定用のサブメニュー４３とリモコン３０のカーソルキー３２及び決定キー３３を用いて、メニュー表示方法の設定処理を行なったが、メニュー表示方法の設定方法は、これに限られない。
【図面の簡単な説明】
【００４１】
【図１】本発明の第１の実施形態によるセットトップボックスの概略構成を示す図。
【図２】上記セットトップボックスに接続されるテレビにメニューを全画面表示した様子を示す図。
【図３】上記セットトップボックスに接続されるテレビにおいてメニューを子画面内に表示した様子を示す図。
【図４】上記テレビの画面規格を示す図。
【図５】上記セットトップボックスにおけるメニュー表示指示時の処理を示すフローチャート。
【図６】上記セットトップボックスにおけるメニュー表示方法設定処理を示すフローチャート。
【図７】本発明の第２の実施形態によるセットトップボックスの概略構成を示す図。
【図８】上記セットトップボックスにおけるメニュー表示指示時の処理を示すフローチャート。
【図９】上記セットトップボックス内のメモリに格納される接続機器情報テーブルの内容を示す図。
【符号の説明】
【００４２】
１    セットトップボックス（地上波ディジタル放送受信機、ディジタル放送受信機）
２    テレビ（テレビジョン受像機、画像表示装置）
１０  ＣＰＵ（メニュー表示制御手段）
１１  ディジタルチューナ（受信手段）
１３  ＭＰＥＧ−２デコーダ（復号手段）
１４  メモリ（放送データ記憶手段）
１５  ＯＳＤ回路（メニュー画像記憶手段）
１６  合成回路（合成手段）
１８  画像出力端子（出力手段）
１９  音声出力端子（出力手段）
３０  リモコン（メニュー表示方法選択手段）
【図１】
2005197930.tif 000003
【図２】
2005197930.tif 000004
【図３】
2005197930.tif 000005
【図４】
2005197930.tif 000006
【図５】
2005197930.tif 000007
【図６】
2005197930.tif 000008
【図７】
2005197930.tif 000009
【図８】
2005197930.tif 000010
【図９】
2005197930.tif 000011